(57)【特許請求の範囲】
【請求項１】
帯状部と固定ひも部とを有し、
帯状部は、
リスフラン関節の左右両側端部とその両側間の足甲部とを共に含むリスフラン関節部周囲を、捲回可能で、左右両側から中心方向に拘束可能に、実質的に柔軟なシート状の非伸縮性の素材で形成してあり、
帯状部帯幅は、舟状骨と立方骨と外側楔状骨と中間楔状骨と内側楔状骨との内の、いずれか１以上の足根骨の前側部位から、全趾それぞれの中足骨底部までの範囲を包み、
足の裏に当接可能な部位には、帯状部材の左右の端部少なくともどちらかが挿通自在な１以上の貫通孔を設け、挿通する端部部位の裏面と帯状部材の表面部とは、引き剥がし自在に接着可能に形成してあり、別体の固定ひも部の両端を随時連結可能な結合部材が設けてあり、
固定ひも部は、
踵骨体後部を経由して該帯状部に連結し、帯状部を踵骨方向に誘導し、帯状部を保持可能に、実質的に柔軟な非伸縮性の素材で形成してあることを特徴とする足の健康装具。
【請求項２】
固定ひも部は、その根元端側が帯状部の一部から連続的一体的に延設しており、先端側を帯状部に連結可能に形成してあることを特徴とする請求項１に記載の足の健康装具。
【請求項３】
帯状部は、一部にサンダル底、又は靴底が接合していることを特徴とする請求項１又は請求項２に記載の足の健康装具。
【請求項４】
伸縮性の素材で母趾を包む袋体を併設しており、袋体の一部は帯状部にまで伸縮自在に延設し、帯状部に結合している請求項１又は請求項２に記載の足の健康装具。
【発明の詳細な説明】
【技術分野】
【０００１】
本発明は、快適で健康的な歩行方法を支援する足の健康装具に関し、更に詳しくは、例えば、扁平化した足の三つのアーチを補強して再形成し、複合的に組み合わせ、耐荷重性のある中空の土踏まずを再生することで、歩行時の衝撃緩衝とあおり歩行という理想的な足底の重心移動を支援する足の健康装具に関する。
【背景技術】
【０００２】
足は全体重がのしかかる場所であるが、健全な足の裏は、地面と接触しない凸型に湾曲した「土踏まず」という中空部を有する。足の骨格と土踏まずの骨組みを図５に示す。凸型に湾曲した中空の土踏まずは、足の横アーチと内側の縦アーチ、外側の縦アーチの三つの中空のアーチが複合的に組み合わさり、前後左右に弓なりに湾曲して全体重に耐える耐荷重性のある凸型の中空部をつくっている。図６（ａ）は、中空の土踏まずを形成するアーチ形状の重要な点Ｍ，Ｎ，Ｏの三点を示す。土踏まずでは、通常、図６（ａ）の点Ｍ，Ｎ，Ｏをアーチ立脚点とする。すなわち、ＭとＮとの間では横アーチ、ＭとＯの間では内側の縦アーチ、ＮとＯの間では外側の縦アーチがあり、それらが複合的に組み合わさることで中空の土踏まずを形成している。図５（ａ）は足の甲を上から見た図である。図５（ａ−Ｘ），（ａ−Ｙ），（ａ−Ｚ）は横アーチの構造を説明する図である。図５（ｂ）は内側の縦アーチ、図５（ｃ）は外側の縦アーチを示す。図６（ｂ）は足裏の接地面と地面と接地しない土踏まず１の位置を示す。図６（ｂ）に示すように、足の裏は、土踏まずという地面と接触しない凸型に湾曲した中空部分があるので、足が接地した時、土踏まずがバネ板の役割りをして接地の衝撃を緩衝するはたらきがある。また、図６（ｃ）は、直立二足歩行をする人にとって最も健康によい理想的な足底の重心移動を示す。足底重心は、足の裏の矢印のように、足の３つの中空のアーチによって形成された「土踏まず」という文字通りの非接地部を迂回するように、踵から小趾球を経由し、母趾球へ移動し、母趾のつま先へと曲線を描いて移動し、地面を離れる。これを「あおり歩行」という。あおり歩行は、歩行時、足、膝、腰等の諸関節や筋肉に無理がかからず、エネルギー効率の一番良い歩行方法であり、また、あおり歩行は足膝腰の関節のつながりを修復する重要なはたらきがある。しかし、土踏まず１の形状が不十分な人は少なくない。何らかの理由により、いずれかのアーチが歪むと、足には全体重がのしかかるので土踏まずが扁平化をきたすようになります。つまり、土踏まずが扁平化すると、板バネとしての機能が低下するため歩行時の衝撃が吸収できなくなり、きちんとした非接地部にならないため、足底の重心の移動は、図６（ｄ）のＰ，Ｑ，Ｒのような曲線になる。このような本来と反する歩行が繰り返されると、身体の諸筋群や関節に無理が募り、やがて足や膝、股関節や腰等の関節を歪ませ疲労や痛みをきたすようになる。このようなアーチ形状が扁平化した足でも、健康によい理想的なあおり歩行ができるようにするためには、全体重がのしかかっても接地しない土踏まず、足底の迂回路として機能するような土踏まずを再生しなければなりません。そのためには、扁平化した横アーチや内側の縦アーチ、外側の縦アーチを合理的に補強して再形成し、複合的に組み合わせ、全体重に耐える中空の土踏まずを再生する装具が必要になります。
【０００３】
足の裏の扁平化を緩和し、あるいは改善を目的とした足の装具については、これまでも幾つか提案が出ている。例えば、靴の中敷きや足底板やアーチサポータとして、土踏まず１の部分に凸型のゴムやスポンジなどのクッション材を挿入して扁平化した足の縦と横のアーチを押し上げることで、足の立体化を図っているものもあります。また、足を足幅方向に伸縮性のある筒状のサポーターや靴下で締め、足の横アーチを補強、再形成するという方法も採られています。図１３は、特開２００４−３２９４５２号公報には、外反母趾及び内反小趾矯正用サポーターが開示してあります。図１３（ａ）は、矯正用サポーター１０１の装着状態である。図１３（ｂ）は、外観を示す。この矯正用サポーター１０１は、土踏まず部位にクッション材１０２を設け、甲部分を含む足の前側部位を、伸縮性のある弾力的な筒状部材１０３で覆い、足の横幅を締めることができるようになっている。第１中足関節部、及び第５中足骨基底には、クッション材１０４，１０５を設け、ここを押圧する。さらに筒状部材１０３は、踵（かかと）を経由するズレ防止ベルト１０６を連結している。図１４は、特開昭６３−１１９７６０号公報は、足関節固定具１１１を公開しています。図１４（ａ）はその装着状態、図１４（ｂ）はその外観を示す。足関節固定具１１１は、足踵１１５を包む袋状部１１３を有し、袋状部１１３は湾曲した内面を有して４本のベルト１１２を延設している。ベルト１１２は、使用時、足首及び足の甲を捲回し、面ファスナ１１４で固定するようになっている。ベルト１１２は、足の甲部に事実上、ランダムな方向の力を加えるように捲回する。
【０００４】
【特許文献１】特開２００４−３２９４５２号公報
【特許文献２】特開昭６３−１１９７６０号公報
【発明の開示】
【発明が解決しようとする課題】
【０００５】
従来の足の健康装具、例えばサポーターや足固定具などは、足のアーチの形状の扁平化の緩和、改善、さらに快適な歩行の支援には必ずしも十分に役立たなかった。つまり、足の裏の扁平化が原因の治療困難な足や膝、股関節や腰等の疲れや痛み、だるさなどは、なかなか改善しないという問題点があった。なぜならば、凸型の中空部として再生すべき土踏まずを安易に凸型の固体で「中実」に埋めてしまうと、着地時、土踏まずは突き上げられてバネ板とはなり難いうえに、接地部になってしまい迂回路とはなり難い。そのため体力を消耗し易く、足膝腰の関節のつながりを修復するあおり歩行は再現しにくいという問題点があった。特開昭６３−１１９７６０号公報開示の固定具は、事実上、足の甲部をランダムに捲回固定するため、足の甲部の関節にはランダムな方向から力が加わることになる。足の甲部は、比較的小さな骨がたくさん精密に密集しているので、ここを帯などで拘束する場合、とりわけ慎重な配慮が必要となる。特に関節部をねじるような剪断力などは加えてはいけない。足甲部を２本の帯などでランダムに捲回すると、小さな骨にそのような剪断力が加わる。この場合には、治る変形も治らないだけでなく、症状を悪化しかねない恐れがある。また、この場合、歩行時、足首の動きの自由度が少なくなるので、足底重心の移動を束縛し、その結果歩きにくく、足膝腰の関節のつながりを修復するあおり歩行がしにくいという問題点があった。また、筒状の弾性サポータで横方向のアーチだけを単独に再形成しても縦方向のアーチも再形成しないと耐荷重性のある中空の土踏まずは再生できないという問題点があった。つまり、従来の技術は、扁平化した足の横アーチや内側の縦アーチ、外側の縦アーチを三つの中空のアーチとして補強し、複合的に組み合わせしめ、土踏まずを全体重に耐える凸型の中空部として再生することができないという問題点があった。
【０００６】
そこで本発明は、上記のような問題点を考慮し、扁平化した足の横アーチや内側の縦アーチ、外側の縦アーチを三つの中空のアーチとして補強して再形成し、複合的に組み合わせしめることで、土踏まずを全体重に耐える凸型の中空部として再生することで、着地時の衝撃を緩衝し、理想的なあおり歩行を実現し、足の扁平化が原因となる足や膝、股関節や腰等の疲れや痛み、だるさなどを効果的に改善できる足の健康装具を提供することを課題とする。
【課題を解決するための手段】
【０００７】
本願発明は上記の課題を達成するため、アーチ式石橋構築の原理を採用した。まずは、その概要を述べます。一般に、アーチ式石橋の構造は、図７に示すように、両脚部の間にクサビ形の石を挟んでいるため、図７(a)に示すように、アーチの両端（脚）部には、石材の荷重によって常に外側に開こうとする力（スラストｉ）がはたらいています（アーチ式石橋は、常に扁平化しようとしています）が、これを食い止めているのが丈夫な両岸です。つまり、丈夫な両岸は、常に扁平化しようとするアーチの両端（脚）部を、常にアーチの底辺の中心方向に押し返し、アーチが扁平化する力と均衡を保っているので、アーチ式石橋は、永い歳月、中空を保持しているのです。このアーチの両端（脚）部を常にアーチの底辺の中心方向に押し返す（誘導する）力が「アーチ反力Ｊ」です。ですから、アーチ反力が減衰すると、図７(b)のように、アーチ式石橋は扁平化し、やがて崩落してしまいます。本願発明者は、このアーチ式石橋を構築する技術を、中空の土踏まずを再生する技術と重ねて考えました。そして、足の骨を詳細に検討した結果、土踏まずを構成する三つのアーチには、予想通り、アーチ式石橋と同じくクサビ形の骨が１つ以上その両脚間にはさまれていることに気づきました。足のアーチもクサビ形の骨をもっているのだから、アーチが扁平化した場合には、扁平化する力を押し戻すだけのアーチ反力Ｊをアーチの両端部に加え、均衡を保つように施せば、耐荷重性のある中空のアーチを再生できるのではないかと考えました。そして、扁平化した三つのアーチにそれぞれ「アーチ反力」が加わるような帯状部の形状を研究し、固定ひも部との結合の仕方や固定の仕方を考慮し、三つのアーチを複合的に組み合わせて耐荷重性のある中空の土踏まずの再生する装具を開発しました。以下、足の骨を詳細に検討した内容を述べます。健全な土踏まずは、図５（ａ）で示す足根骨５１〜５７、および全趾の中足骨５８〜６２の１２個の骨からなる横アーチと内側の縦アーチ、外側の縦アーチの三つの中空のアーチが複合的に組み合わさることで、前後左右に弓なりに湾曲して全体重に耐える耐荷重性のある凸型の中空部をつくっています。これらの骨のうち、足根骨５２，５４，５５，５６と、中足骨５９，６０，６１の底部、合計７個の骨はクサビ形をしています。横アーチは、図５（ａ−Ｙ）,（ａ−Ｚ）に示すように、足根骨５５，５６、中足骨５８，５９，６０の底部はクサビ形です。図５の（ｂ）は、図５（ａ）で示すＫ方向から骨格を見た内側の縦アーチを示します。内側の縦アーチでは足根骨５２は補助線で示したようにクサビ形です。図５の（ｃ）は、図５（ａ）で示すＴ方向から骨格を見た外側の縦アーチを示します。外側の縦アーチでは足根骨５４が補助線で示したようにクサビ形です。本願発明者は、アーチ式石橋構築の原理をもとに、三つの足のアーチがそれぞれクサビ形の骨を有することに着目し、アーチ構造を保持する丈夫な両岸の代わりに帯状部と固定ひも部とを連結使用することで、横、内側の縦、外側の縦の三つのアーチの両脚部にアーチ反力を加え、三つのアーチを補強して再形成し、複合的に組み合わせることで、耐荷重性のある中空の土踏まずを再生する足の健康装具を完成しました��横アーチ部では、装着手順を示す図８、図９に示すように、横アーチの両脚端部に相当する骨５８，６２、及び骨５４，５７に足の裏側の中心方向に向かうアーチ反力が加わるよう、帯状部の足の裏に当接する部位に貫通孔を設けました。これにより、土踏まず位置に凸型のクッション材がなくても、合理的に横方向にアーチ形状を形成することができます。また、内側の縦アーチ部、外側の縦のアーチ部の両脚部が前後方向に開くスラストを抑止するために、固定ひも部を設け、帯状部と踵骨を近接させるようにしました。これにより、内側の縦アーチ部と外側の縦のアーチ部の両脚部にアーチ反力を加えられるようになり、土踏まず位置に凸型のクッション材がなくても、足の裏では合理的に内側の縦アーチと外側の縦のアーチは本来のアーチ形状を形成できるようになりました。つまり、帯状部と固定ひも部とを連結使用することで、扁平化した足の横、内側の縦、外側の縦の三つのアーチの両脚部にアーチ反力を加え、三つのアーチを補強して再形成し、複合的に組み合わせ、耐荷重性のある中空の土踏まずを再生することが可能になりました。本願発明は上記の課題を達成するため、下記の手段を採りました。
（１）帯状部と固定ひも部とを有し、帯状部は、リスフラン関節の左右両側端部とその両側間の足甲部とを共に含むリスフラン関節部周囲を、捲回可能で、左右両側から中心方向に拘束可能に、実質的に柔軟なシート状の非伸縮性の素材で形成してあり、帯状部帯幅は、舟状骨と立方骨と外側楔状骨と中間楔状骨と内側楔状骨との内の、いずれか１以上の足根骨の前側部位から、全趾それぞれの中足骨底部までの範囲を包み、足の裏に当接可能な部位には、帯状部材の左右の端部少なくともどちらかが挿通自在な１以上の貫通孔を設け、挿通する端部部位の裏面と帯状部材の表面部とは、引き剥がし自在に接着可能に形成してあり、別体の固定ひも部の両端を随時連結可能な結合部材が設けてあり、固定ひも部は、踵骨体後部を経由して該帯状部に連結し、帯状部を踵骨方向に誘導し、帯状部を保持可能に、実質的に柔軟な非伸縮性の素材で形成してあることを特徴とする足の健康装具。
【０００８】
（２）固定ひも部は、その根元端側が帯状部の一部から連続的一体的に延設しており、先端側を帯状部に連結可能に形成してあることを特徴とする請求項１に記載の足の健康装具。（３）帯状部は、一部にサンダル底、又は靴底が接合していることを特徴とする請求項１又は請求項２に記載の足の健康装具。（４）伸縮性の素材で母趾を包む袋体を併設しており、袋体の一部は帯状部にまで伸縮自在に延設し、帯状部に結合している請求項１又は請求項２に記載の足の健康装具。
【０００９】
上記の足の健康装具は、次のように作用します。上記（１）〜（５）の足の健康装具には、リスフラン関節部を左右両側から拘束する帯状部の足の裏に当接する部位に貫通孔を設けたので、挿通した端部と反対側の端部とをそれぞれ左右の手で別々に掴み、引くと、帯状部１０がつくるループの内径は狭くなりますが、とくに、足の裏に貫通孔を設け、挿通した端部と反対側の端部とをそれぞれ左右の手で別々に掴み、引くと、帯状部がリスフラン関節部周囲の両端部を足の裏側の中心方向に誘導するから、土踏まず位置にクッション材がなくても、足の裏の土踏まずに、容易に横方向のアーチ形状を形成することができる。また、非伸縮性の部材を使用しているので、弾力的にのび縮みする伸縮性の部材を使用した場合に比べ、足が地面を離れた瞬間の形状と、着地した瞬間の形状との間で、拘束幅に変動がありません。すなわち、足を上下させて歩行する際、土踏まず部位のアーチ形状に崩れが生じにくくなりました。また、締結した際の拘束幅より広がりを狭くする力も生じないので、装着部位に過度な血行不良も招きません。また、図１０に示すように、足部は、つま先側が細く、足首側が太い形をしているので、足に装着した帯状部１０は、横から見ると、ちょうど円錐の尖端部を切った漏斗状の筒体をなしています。漏斗状の筒体は、細い足先方向へ引っ張ると、容易に足から抜けてしまいますが、踵方向へ引っ張ると、筒体はさらに足にフィットして、しっかりとリスフラン関節周囲、つまり横アーチ部を締めつけます。この漏斗形の帯状部は横アーチを再形成しましたが、図６（a）に示されているように、リスフラン関節部は、内側、及び外側の縦アーチの前脚部を内蔵しているので、内側、及び外側の縦アーチの前脚部の骨を整列させて再形成したのです。この内側、及び外側の縦アーチの後脚部は踵骨Ｏが兼ねているので、踵骨体後部に固定ひもの踵あてを当接し、固定ひもの両端を漏斗状の帯状部に連結し、固定ひもの両端で帯状部を踵骨方向に誘導することで、内側、及び外側の縦アーチには、アーチ反力が作用します。殊に、図１０、１３に示したように、帯状部の側面下部に結合部材を設けると、内側、及び外側の縦アーチの両脚部には一層効果的なアーチ反力が作用し、リスフラン関節やショパール関節、足根間関節などの締結も強くなるので、土踏まず部位にクッション材を設けなくても、合理的に内側、及び外側の縦アーチを補強して再形成することができます。また、帯状部と固定ひも部は足首を拘束しないので、理想的なあおり歩行に必要な足首の自由度は守られている。
【００１０】
上記（２）の手段では、固定ひも部が帯状部から一体的に延設しているから、両者が別体の場合に比べると製造が簡単で保管管理も装着手順も容易となる。上記（３）の手段は、サンダル底、又は靴底を有しているから、屋外を歩行でき、装着した状態で屋外での活動が可能になる。上記（４）の手段は、外反した母趾に内反力が作用する。母趾の形状負担が減り、炎症が減る。土踏まずの形状の異常と因果関係にある場合、土踏まずの形状不良と母趾の形状不良という二つの異常が同時並行的に合理的に是正する。
【００１１】
以下、従来の足の扁平化対策の装具と更に比較する。本来、足の土踏まずは凸型の中空部です。足底の土踏まずに、凸型のゴム、又はスポンジ等のクッション材を挿入する従来の方法の場合、本来、地面を踏まないはずの土踏まずの中空部に凸型の固体を埋める。このため事実上、土踏まずは「中実」になり、間接的には接地部位になる。これでは足の裏の重心が土踏まずを迂回するような歩き方にはならない。つまり、あおり歩行にならない。また、土踏まずには本来あってはならない突き上げ力、すなわち着地時の地面からの衝撃力が加わる危険性がある。土踏まずに突き上げ力が加わると、歩行時、体全体に定常的に衝撃が伝わる。事実上、モザイクのように緻密に組まれている足の小骨の微妙なバランスが崩れると、ひいては体の随所に不具合を引き起こすという支障がある。上記（１）から（５）の手段では、土踏まずは中空になり、歩行時に、接地することがほとんどない。すなわち、足の裏が歩行時の衝撃を吸収し、理想に近いようなあおり歩行が可能となり、従来技術のような支障が生じない。
【００１２】
また、特開昭６３−１１９７６０号公報開示の足関節固定具の場合、図１４(a)に示したように、足の甲部の関節をベルトで足首や足の甲部をランダムに捲回固定するため、あおり歩行がしにくいという問題点があった。また、足の甲部の小骨群に剪断力が加わるため、足のアーチを歪ませる恐れがあったが、本願発明に関わる足の健康装具はそのような支障を防止している。また、筒状の弾性サポータで横方向のアーチだけを単独に再形成しても耐荷重性のある中空の土踏まずは再生できないという問題点があったが、本願発明に関わる足の健康装具はそのような問題を解決している。
【発明の効果】
【００１３】
本願発明の（１）〜（４）の手段は、扁平化した足の横アーチや内側、外側の縦アーチを補強して再形成し、複合的に組み合わせることで、全体重に耐える中空の土踏まずを再生することで、歩行時に足が着地した時の衝撃緩衝と、理想的なあおり歩行を実現し、足の扁平化が原因となる足や膝、股関節や腰等の疲れや痛み、だるさなどを効果的に改善する効果があります。また、足の裏側に貫通孔を設けたことにより、この帯状部は、事実上、同一線のループで横アーチ部を締めることになるので、横アーチを形成する小骨群に剪断力を与えることがないので、安全に横アーチ形状を補強することが可能となります。（２）の手段では、固定ひも部の一端が帯状部から延設してあるので、装着手順をひとつ省略することができます。（３）の手段では、気軽な外出でもあおり歩行を実現できます。（４）の手段では、外反母趾の変形を抑止し、共通原因的変形を同時に合理的に矯正できます。
【発明を実施するための最良の形態】
【００１４】
以下、本発明の実施の一形態を、図面を参照して具体的に説明する。図１は、主として右足用と考えている足の健康装具４０の全体を組み立て状態で示す外観図である。なお、左足用は右足用の左右がおおよそ逆になる。この健康装具は、帯状部１０と固定ひも部３０とで形成している。図１（ａ）は、帯状部１０の外観図である。図１（ｂ）は、固定ひも部３０の外観図である。図２は、おもて側から見た足の健康装具４０の通常時の外観図である。図２（ａ）は帯状部１０、図２（ｂ）は固定ひも部３０である。図３は、それらそれぞれの断面図を示す。図４はうら側から見たその分解図である。
【００１５】
足の健康装具４０の帯状部１０は、本体部１１と第一，第二の細ベルト締結部１２ａ，１２ｂと左端締結部１３とを有する。本体部１１は、横方向が約３５ｃｍ、縦方向が最大幅約７ｃｍの横方向に長い概ね矩形のシートで形成してある。この矩形のシートは、図２で示すように、まえ側とうしろ側とに長辺が左右方向に延びている。まえ側の長辺はほぼ直線、おもて側の面から見て中央部よりやや左寄り部分がわずかに後方に退き、これがかすかに弓なりのまえ側縁を形成している。うしろ側の長辺は、帯状部１０のおもて側の面から見て中央部よりやや左寄りに偏った部位が大きくうしろ側方向に引いており、弓なりのうしろ側縁を形成している。本体部１１の左側よりの箇所には、おもて側の面からうら側の面に貫通するボタン穴状の第一，第二の貫通孔１４ａ，１４ｂがうしろ側とまえ側とに約１ｃｍの間隔を離して開口している。なお、この第一，第二の貫通孔１４ａ，１４ｂは、本体部１１を足に捲回した際、その位置が右足の裏側にくるよう、本体部１１の左右端との距離の関係で調整してある。本体部１１のおもて側の表面ほぼ中央部には、面ファスナの一方の側を形成する雄型面ファスナ１５が横長に取りつけてある。
【００１６】
矩形の本体部１１の左側端からは左端締結部１３が先細り形状で約８ｃｍ程度、左方向に延長してある。左端締結部１３は、雄型面ファスナ１５に重なると互いに接着する第一の雌型面ファスナ１３ａをうら側の面に有している。本体部１１の右側端からは、上記の第一，第二の貫通孔１４ａ，１４ｂに先端部が挿通可能な第一，第二の細ベルト締結部１２ａ，１２ｂが計２本、うしろ側とまえ側に、右側方向に平行に延びている。これが、帯状部１０の右側端部を形成している。この第一，第二の細ベルト締結部１２ａ，１２ｂは、それぞれ幅は約１０ｍｍ、長さは約１２ｃｍの丈夫な柔軟テープで形成してある。この第一，第二の細ベルト締結部１２ａ，１２ｂは、うら側の面に、雄型面ファスナ１５と重なると締結する第二の雌型面ファスナ１２ｃ，１２ｄを有している。本体部１１のうしろ側縁には、雄型面ファスナ１５の両側に当たる位置に、内径２０ｍｍの第一，第二の８の字環１６ａ，１６ｂが設けてある。さらに、本体部１１には、前後方向に本体部１１を横断する取り付けテープ１７ａ，１７ｂが設けてある。第一，第二の８の字環１６ａ，１６ｂは、取り付けテープ１７ａ，１７ｂで保持するように、取り付けテープ１７ａ，１７ｂのうしろ側の端部に結合してある。
【００１７】
本体部１１は、図３（ａ）に断面図で示すように、実質的に柔軟でかつ非伸縮性に四層のシート状に形成してある。柔軟とは、力を加える意思が働いていない状態下での手の動き、あるいは生地の自重で自然に自在に屈曲変形する硬さを言う。非伸縮性とは、人が素手の日常的な力では牽引しても事実上、伸張、破断しない強度を有することをいう。四層とは、うら側層と中間層とおもて側層とおもて側取り付け層とである。うら側層はうら側の表面シート２１で形成してある。おもて側層はおもて側の表面シート２０で形成してある。また、おもて側取り付け層は、おもて側の表面シート２０の上に縫いつけ、雄型面ファスナ１５と取り付けテープ１７ａ，１７ｂとで構成してある。
【００１８】
おもて側層とうら側層の間、すなわち中間層は、図４（ａ）の分解図で示すように、長尺の第一，第二の補強テープ１８ａ，１８ｂと、３本の短尺の孔補強テープ１９ａ，１９ｂ，１９ｃとで形成してある。なお、図４は、図２の状態に対し、表裏左右を反転させてある。右端側と左端側との間には長尺の第一，第二の補強テープ１８ａ，１８ｂをほぼ平行に渡し、おもて側の表面シート２０とうら側の表面シート２１で挟むように縫いつけてある。長尺の第一，第二の補強テープ１８ａ，１８ｂは、本体部１１が弓なりに形成してあることから、それに合わせて、かすかに弓なりに配置してある。長尺の第一，第二の補強テープ１８ａ，１８ｂは、左側端（図２（ａ）では右側）で細ベルト締結部１２ａ，１２ｂに一線で直結している。また、第一，第二の貫通孔１４ａ，１４ｂに該当する部位では、開口している第一，第二の貫通孔１４ａ，１４ｂの開口幅分の距離を開けて分断している。すなわち、第一，第二の貫通孔１４ａ，１４ｂは、長尺の第一，第二の補強テープ１８ａ，１８ｂの線上に開口している。第一，第二の貫通孔１４ａ，１４ｂの両側、長尺の第一の補強テープ１８ａと長尺の第二の補強テープ１８ｂの間、及び長尺の第一，第二の補強テープ１８ａ，１８ｂの両側には、短尺の孔補強テープ１９ａ，１９ｂ，１９ｃが設けてある。第一の貫通孔１４ａと第二の貫通孔１４ｂとの間、長尺の第一の補強テープ１８ａと第二の補強テープ１８ｂとの間の短尺の孔補強テープ１９ｂは、幅約１０ｍｍ、長さ３ｃｍほどである。外側の短尺の孔補強テープ１９ａ，１９ｃは、幅約５ｍｍ〜１０ｍｍ、長さ約３ｃｍ程である。これらはいずれも第一，第二の貫通孔１４ａ，１４ｂの周囲を補強している。
【００１９】
おもて側の表面シート２０としては、例えば、ブロード生地、シャーク生地、などの綿素材を用いている。長尺の第一，第二の補強テープ１８ａ，１８ｂ、短尺の孔補強テープ１９ａ，１９ｂ，１９ｃはナイロンを使用している。うら側の表面シート２１には、ポリエチレン製のメッシュ材などをあてている。おもて側の表面シート２０とうら側の表面シート２１は、縁取り２２ａ，２２ｂを施して折り返し、結合している。本体部１１は、非伸縮性のシート状であり、事実上薄くて、丈夫で、さらに通気性、透湿性などが確保できれば特に好ましい。その構造は、上記の内容に限定されない。例えば、上記のような綿、又はナイロンテープなどの代わりに綿の芯地をあててもよい。うら側の表面シート２１は、メッシュの代わりに吸湿性の良い綿パイルをあててもよい。発明の目的を損なわない限り、素材には特に制限がない。左端締結部１３（図４（ａ）中では右側に表示している）は、おもて側の表面シート２０、うら側の表面シート２１、長尺の第一，第二の補強テープ１８ａ，１８ｂのいずれとも端部で直接結合して縫いつけてある。
【００２０】
上記の帯状部１０は、固定ひも部３０と共に足の健康装具４０を構成している。固定ひも部３０の正面図を図２（ｂ）、断面図を図３（ｂ）に示す。固定ひも部３０は、非伸縮性の丈夫で柔軟なナイロンテープ３１で形成してある。長さ約３０ｃｍ、幅約２ｃｍ、両端部は８字環１６ａ，１６ｂの輪の中を挿通自在の幅に形成してある。固定ひも部３０の片側面には、雌雄混植型の第一の面ファスナ３２が裏打ちしてある。固定ひも部３０の中央部には、長さ５ｃｍ、幅３ｃｍ程の綿生地が長さ方向を合わせて縫着してあり、踵あて３３を形成している。雌雄混植の面ファスナ３２としては、例えばクラレ社のフリーマジック（Ｒ）が丈夫で好ましい。踵あて３３の中には、例えば薄手のスポンジなどをいれると肌などとのあたりが優しくなり、フィット感が高まって良い。
【００２１】
このような足の健康装具４０は、次のようにして使用する。
図８〜図１０は、足の健康装具４０の装着方法を示す図である。図８は本体部１１の締め付け前、図９は本体部１１の締め付け後、図１０は装着完成図である。図４（a）の状態の帯状部の第一の細ベルト締結部１２ａを第一の貫通孔１４ａに通し、第二の細ベルト締結部１２ｂを第二の貫通孔１４ｂに通す。こうして図１（ａ）のように、帯状部１０に足形のループを形成する。そして、図８（ａ）に示すように足形のループに右足を挿入する。帯状部１０でリスフラン関節Ｌ周囲を包むようにする。本体部１１のまえ側縁は足の指側とし、うしろ側縁すなわち８の字環１６ａ，１６ｂの側は足首に近い方になる。第一，第二の貫通孔１４ａ，１４ｂを足の裏で踏むような位置に合わせ、足根骨の前側部位から、全趾の中足骨底部までの前後方向の範囲を本体部１１の幅方向で覆う。足根骨の前側部位には、前後に延びる舟状骨と立方骨と外側楔状骨と中間楔状骨と内側楔状骨とをできるかぎり含める。
そして、図９（ａ）の矢印に示すように、左に延びる第一，第二の細ベルト締結部１２ａ，１２ｂと、右に延びる左端締結部１３とをそれぞれ左右の手で引く。第一，第二の細ベルト締結部１２ａ，１２ｂと左端締結部１３を引くほど、帯状部１０がつくるループの内径は狭くなる。とくに貫通孔がある側の内径が有意に狭くなる。つまり、扁平化した横アーチ部の両脚部は、その内径が有意に狭くなる帯状部の力（アーチ反力に相当する力）を受けて足の裏側の中心方向に誘導されるので、横アーチは合理的に再形成される。足の裏側に帯状部の貫通孔が当接するように限定した理由はここにあります。足にアーチ反力が加わり、横アーチが再形成されたらば、足の裏で第一，第二の貫通孔１４ａ，１４ｂを強く踏んで位置を仮固定する。そして、細ベルト部１２ａ，１２ｂの第二の雌型面ファスナ１２ｃ，１２ｄと左端締結部１３の第一の雌型面ファスナ１３ａとを本体部１１の雄型面ファスナ１５に係合し、土踏まずの横アーチを保持固定する。
【００２２】
この時、帯状部の下で起こっていることを説明します。図８は、帯状部１０をリスフラン関節Ｌ周囲と当接させただけで、まだ細ベルト締結部１２ａ，１２ｂと左端締結部１３を強く引く前の段階、すなわち、土踏まずで横アーチを形成するはずの骨群は、図８（ｂ）（ｃ）で示すように横アーチを形成する骨のうち、中足骨５９〜６１、足根骨５５，５６はくさび形をしており、まだ骨組みは扁平で開いた状態になっている。次いで、図９（ａ）のように、第一，第二の細ベルト締結部１２ａ，１２ｂと左端締結部１３を引くと、帯状部１０がつくるループの内径は狭くなるが、足の甲側よりも、貫通孔を設けた側の方が有意に狭くなる。、つまり足の裏側の方が有意に狭くなる。これが扁平化した横アーチを再形成するアーチ反力として作用する。図９（ｂ）のように、帯状部１０は、リスフラン関節Ｌ周辺にある中足骨５８〜６２を締結させながら、とくに横アーチの両脚にあたる中足骨基底部５８，６２を外に開いている状態から、矢印に沿って内側に閉じる状態に誘導する。図９（ｃ）のように、帯状部１０は、足根骨５４〜５７を締結させながら、とくに横アーチの両脚にあたる足根骨５４，５７を外に開いている状態から矢印に沿って内側に閉じる状態に誘導する。このように、クサビ形の骨を有する横アーチの両脚部は、横アーチの補強して再形成するのに不可欠なアーチ反力を帯状部から合理的に受けることになり、扁平化した足の横アーチは、合理的に本来の横アーチ形状に整列、締結しなおし、本来の形状を再生する。
【００２３】
そして、固定ひも部３０の両端３１ａ，３１ｂを８の字環１６ａ，１６ｂに通し、固定ひも部の踵あて３３が踵骨体後縁にしっかり当接した状態で、本体部１１を踵骨側に強く引き戻す感じで固定ひも部３０の両端３１ａ，３１ｂを踵側にしっかり引き、雌雄混植型の第一の面ファスナ３２に係合する。こうした手順で本体部１１が行う横アーチの補強、再形成と共に、内、外側の縦アーチは補強され、再形成される。内側の縦アーチは、図６（ａ）のＭＯ線に現れる。外側の縦アーチは、同じくＮＯ線に現れる。この足の健康装具４０によれば、このように３つの複合アーチが合理的に補強、再生できる。帯状部１０は横アーチを補強、再生し、固定ひも部３０は、帯状部１０と踵骨を近づけ、縦アーチＭＯ，ＮＯにアーチ反力を与え、内側、外側の縦アーチを補強、再生する。
【００２４】
なお、本体部１１は、まえ側縁とうしろ側縁がともに弓なりに形成してあるので、足の形状に沿った形状を的確に形成している。固定ひも部３０には、足の横アーチ部を補強、再生した帯状部を踵側に誘導し、リスフラン関節Ｌ、及びショパール関節Ｓ、および足根骨同士の関節など、足の長手方向の締結を強化し、足の内側、および外側の縦アーチを補強、再形成する働きがある。帯状部１０と固定ひも部３０からなる足の健康装具４０を使用すると、中空で、地面からの衝撃を吸収する土踏まず部の三つの複合アーチを合理的に補強、再形成することができる。足の健康装具４０は、足関節の動きを妨げないので、健全なあおり歩行を実現できる。この実施の形態では、細ベルト部１２ａ，１２ｂ、左端締結部１３、固定ひも３０の固定に主に面ファスナを使用している。左端締結部１３、固定ひも３０の面ファスナは使用者が装着して長すぎる部分をハサミで切り、使用してもらうとよい。しかし、面ファスナに限らず、ホック、ボタンなど、この発明の目的を達成する上で支障のないものであれば、面ファスナに代えて使用できることは言うまでもない。 本体部１１をを貫通する端部は、細ベルト部１２ａ，１２ｂと、二本設けてあるが、これは、一本でもよく、三本以上でもよい。
【実施例１】
【００２５】
図１１はこの発明の実施例１を示す図である。第一，第二の細ベルト締結部１２ａ，１２ｂの先端には抜き止め片６３を接着している。これにより、第一，第二の細ベルト締結部１２ａ，１２ｂは常に挿入した状態で、第一，第二の貫通孔１４ａ，１４ｂから抜けないようになっているので、装着するごとに、挿通端部をに通すという手間を省略することができる。取り付けテープ１７ａと第一の８の字環１６ａを欠く。さらに固定ひも部３０に代え、本体部第一の８の字環１６ａの位置から、第二の固定ひも６５の根元部が、直接、一体的にＴ字型に延長しているので、固定ひも３０の装着は簡便になる。第二の固定ひも６５の先端は、雌雄混植型の第二の面ファスナ６５ａで第二の８の字環１６ｂに結合可能になっている。本体部１１のうら側の表面シート２１には、第一，第二の貫通孔１４ａ，１４ｂを覆うように、被覆シート６４が設けてある。被覆シート６４は第一，第二の細ベルト締結部１２ａ，１２ｂの挿入側を除き、三方を縫いつけてある。上記の外は、実施の態様と同じである。
【実施例２】
【００２６】
実施例２は、第一，第二の貫通孔１４ａ，１４ｂは、装着時、足の裏に当接するようにしてある。取り付けテープ１７ｂと第二の８の字環１６ｂを欠く。その代わり、固定ひも部６５には、裏面に第三の雌型面ファスナ６５ｂが設けてあり、本体部１１には第二の雄型ファスナ６６が設けてある。第二の雄型ファスナ６６と第三の雌型面ファスナ６５bとが係合する。
【実施例３】
【００２７】
実施例３は、第一，第二の貫通孔１４ａ，１４ｂは足の裏に当接するようにし、固定ひも３０とは、第一，第二の８の字環１６ａ，１６ｂを介して連結するようにして帯状部を形成してある。帯状部の一部は、サンダル底６７と連結している。このように形成した足の健康装具であれば、外出時、気軽にあおり歩行の効果が得られる。また、靴底の場合は、スキーブーツのように、足の健康装具を靴のインナーに採用する。又は、機能性シューズとして足の健康装具をアウターと兼ねて採用することも可能である。靴の中敷きはフラットなものにする。足の健康装具を装備する靴を履くことで、長時間快適に、健康的に歩くことができる。
【実施例４】
【００２８】
図１２はこの発明の実施例４を示す図である。第一，第二の貫通孔１４ａ，１４ｂは足底側にあり、固定ひも３０とは、第一，第二の８の字環１６ａ，１６ｂを介して連結するようにして本体部を形成してある。さらに、伸縮性の素材で母趾全体を包み込む袋体７０を設けてある。この伸縮性の袋体７０の一部は、本体部まで延長し、結合している。袋体７０の外周には、母趾内側面から第一中足骨内側面に沿い、非伸縮性の連結帯７１が筋状に延びて縫いつけてある。その外は実施の形態と同じである。袋体７０は、本体部に着脱可能に形成してあってもよい。着脱手段は、面ファスナでもよく、ホック、あるいはボタンでもよい。伸縮性の袋体７０は、母趾をやさしく中枢方向へ誘導し、一節一節の関節に長軸方向の圧力を与え、第１中足骨から母趾までの関節の整復を図る。また、母趾内側面から第一中足骨内側面に沿って縫いつけた非伸縮性の連結帯７１は、母趾を反対側へ誘導（内反）する。いずれも土踏まずの複合アーチの歪みを治しながら、外反母趾の治療を並行的に実施する。外反母趾を有する人の場合、多くは土踏まずの内側の縦アーチも同時に崩れている。母趾の外反変形が強い場合は、３つの複合アーチの完全な扁平化を伴う外反扁平足になる。母趾は内側の縦アーチの先端にある。内側の縦アーチは、３つのアーチの中で最も高く、実長のあるアーチである。高さと長さのあるアーチが扁平化して地面に横たわると、他の趾（ゆび）より断然長くなる。しかし、母趾だけ真っ直ぐに伸びているわけにはいかない。皮膚に包まれ、他の骨や趾と靱帯や筋腱、筋肉などでつながっているため、力学的に足の中心側に引っ張られ、捻られる。その応力が母趾を外反し、ねじる。換言すれば、外反母趾の治療は、外反した母趾を内反方向に矯正するだけで成果がでるものではない。図(b)(c)に矢印で示すように、第１中足骨５８，内側楔状骨５７のねじれを修正しながら、母趾の根元部を整え、母趾をやさしく中枢方向へ誘導し、さらには３つの複合アーチを補強、再形成することで、より合理的で効果的な成果をおさめることができる。この実施例４はそのような効果的な是正、治療を可能にし、外反母趾の鎮静、改善に大きな効果がある。
【図面の簡単な説明】
【００２９】
【図１】実施の形態で示す足の健康装具の全体を組み立て状態で示す外観図である。
【図２】足の健康装具の通常時の外観図である。
【図３】足の健康装具の通常時の断面図である。
【図４】足の健康装具のうら側の分解図である。
【図５】正常な足の骨格と土踏まずの複合アーチの骨組みを示す図である。
【図６】アーチとあおり歩行に関係する足の裏の様子を示す図である。
【図７】アーチ式石橋の力学的図である。
【図８】装着時の本体部の締め付け前を示す図である。
【図９】装着時の本体部の締め付け後を示す図である。
【図１０】装着完成時の状態を示す図である。
【図１１】実施例１の足の健康装具の全体を示す図である。
【図１２】実施例４の足の健康装具の全体を示す図である。
【図１３】足のアーチを補強、再生する従来の矯正用サポーターを示す図である。
【図１４】足のアーチを補強、再生する従来の足関節固定具を示す図である。
【符号の説明】
【００３０】
１０ 帯状部
１１ 本体部
１２ａ 第一の細ベルト締結部
１２ｂ 第二の細ベルト締結部
１３ 左端締結部
１４ａ 第一の貫通孔
１４ｂ 第二の貫通孔
３０ 固定ひも部
４０ 足の健康装具
６７ サンダル底
７０ 袋体
７１ 連結帯
【図１】
0004374424.tif 000002
【図２】
0004374424.tif 000003
【図３】
0004374424.tif 000004
【図４】
0004374424.tif 000005
【図５】
0004374424.tif 000006
【図６】
0004374424.tif 000007
【図７】
0004374424.tif 000008
【図８】
0004374424.tif 000009
【図９】
0004374424.tif 000010
【図１０】
0004374424.tif 000011
【図１１】
0004374424.tif 000012
【図１２】
0004374424.tif 000013
【図１３】
0004374424.tif 000014
【図１４】
0004374424.tif 000015